(57)【要約】【課題】照明装置に含まれる光源からの照明光の照射方向を任意の方向に制御しうる照明装置、および照明装置に含まれる光源からの照明光の照射方向の制御方法を提供する。【解決手段】照明装置１０は、所定の固定対象物に固定される少なくとも一つの光源１２を含む照明装置である。この照明装置１０は、光源１２からの照明光の照射方向の範囲における少なくとも一部の領域に配置される、透過状態から鏡面状態で反射率を可変制御しうるエレクトロクロミック層２０を含む照射方向制御部として、カバー部１４を備える。カバー部１４は、底面カバー部１６および側面カバー部１８を含む。底面カバー部１６および側面カバー部１８のそれぞれのエレクトロクロミック層２０への電流の供給を制御することにより、光源１２からの照明光の照射方向を制御することができる。【選択図】図１
2016020940.tif 000002
【特許請求の範囲】
【請求項１】
所定の固定対象物に固定される少なくとも一つの光源を含む照明装置であって、
前記照明装置は、
前記光源からの照明光の照射方向の範囲における少なくとも一部の領域に配置される、透過状態から鏡面状態で反射率を可変制御しうるエレクトロクロミック層を含む照射方向制御部を備える、照明装置。
【請求項２】
前記照射方向制御部は、前記固定対象物とは反対方向の領域に配置されることを特徴とする、請求項１に記載の照明装置。
【請求項３】
前記照射方向制御部は、前記光源を囲むように配置されることを特徴とする、請求項１または請求項２に記載の照明装置。
【請求項４】
前記照射方向制御部は、前記光源を囲むように複数のエレクトロクロミック層から形成され、
前記複数のエレクトロクロミック層ごとに透過状態から鏡面状態で反射率を可変制御しうることを特徴とする、請求項１ないし請求項３のいずれかに記載の照明装置。
【請求項５】
前記エレクトロクロミック層は、金属イオンを含む電解質に対して、作用極および対極を介して電界を印加することで、前記作用極上に前記金属イオンを金属として析出させる電解析出型であることを特徴とする、請求項１ないし請求項４のいずれかに記載の照明装置。
【請求項６】
少なくとも一つの光源からの照明光の照射方向を制御するための照射方向の制御方法であって、
透過状態から鏡面状態で反射率を可変制御するエレクトロクロミック層を含む照射方向制御部が、前記光源からの照明光の照射方向の範囲における少なくとも一部の領域に配置され、
前記光源からの照明光を照射させる領域を透過状態とし、前記光源からの照明光を照射させない領域を鏡面状態とするように、前記照射方向制御部の反射率を制御することで、前記光源からの照明光の照射方向を制御する、照射方向の制御方法。
【発明の詳細な説明】
【技術分野】
【０００１】
この発明は、照明装置に関し、特に、照明装置が備える光源からの照明光の照射方向を制御する照明装置、および光源からの照明光の照射方向の制御方法に関する。
【背景技術】
【０００２】
この発明の背景となる従来の照明装置の一例が、たとえば、特開平９−３５５２５号公報（特許文献１）に開示されている。この照明装置は、天井に埋め込み取り付けられる器具本体を備える照明装置である。この照明装置は、器具本体に設けられる透光開口の向きを切り替えることで、直接照明と間接照明との切り替えを可能としたものである。
【先行技術文献】
【特許文献】
【０００３】
【特許文献１】特開平９−３５５２５号公報
【発明の概要】
【発明が解決しようとする課題】
【０００４】
しかしながら、特許文献１に開示されている照明装置は、直接照明と間接照明とを切り替える場合、器具本体の透光開口の向きを切り替えるための施工が必要であるため、照明装置の設置位置が大幅に制限される問題があった。また、透光開口の範囲は固定されているため、全体照射やスポット照射等の切り替え等、照射範囲を変更させることができない問題があった。
【０００５】
それゆえに、この発明の主たる目的は、照明装置に含まれる光源からの照明光の照射方向を任意の方向に制御しうる照明装置、および照明装置に含まれる光源からの照明光の照射方向の制御方法を提供することである。
【課題を解決するための手段】
【０００６】
この発明にかかる照明装置は、所定の固定対象物に固定される少なくとも一つの光源を含む照明装置であって、照明装置は、光源からの照明光の照射方向の範囲における少なくとも一部の領域に配置される、透過状態から鏡面状態で反射率を可変制御しうるエレクトロクロミック層を含む照射方向制御部を備える、照明装置である。
この発明にかかる照明装置では、照射方向制御部は、固定対象物とは反対方向の領域に配置されてもよい。
また、この発明にかかる照明装置では、照射方向制御部は、光源を囲むように配置されてもよい。
さらに、この発明にかかる照明装置では、照射方向制御部は、光源を囲むように複数のエレクトロクロミック層から形成され、複数のエレクトロクロミック層ごとに透過状態から鏡面状態で反射率を可変制御しうるようにしてもよい。
また、この発明にかかる照明装置では、エレクトロクロミック層は、金属イオンを含む電解質に対して、作用極および対極を介して電界を印加することで、作用極上に金属イオンを金属として析出させる電解析出型でもよい。
この発明に照射方向の制御方法は、少なくとも一つの光源からの照明光の照射方向を制御するための照射方向の制御方法であって、透過状態から鏡面状態で反射率を可変制御するエレクトロクロミック層を含む照射方向制御部が、光源からの照明光の照射方向の範囲における少なくとも一部の領域に配置され、光源からの照明光を照射させる領域を透過状態とし、光源からの照明光を照射させない領域を鏡面状態とするように、照射方向制御部の反射率を制御することで、光源からの照明光の照射方向を制御する、照射方向の制御方法である。
【０００７】
この発明にかかる照明装置では、照明装置が所定の固定対象物に固定される少なくとも一つの光源を含み、光源からの照明光の照射方向の範囲における少なくとも一部の領域に配置される、透過状態から鏡面状態で反射率を可変制御しうるエレクトロクロミック層を含む照射方向制御部を備えるので、照射方向制御部のエレクトロクロミック層が透過状態の場合、光源からの照明光が照射方向制御部を透過し、照射方向制御部のエレクトロクロミック層が鏡面状態の場合、光源からの照明光が照射方向制御部で反射することにより、照射方向を変更するための施工を別途することなく、光源からの照明光の照射方向を制御することができる。
また、この発明にかかる照明装置では、照射方向制御部が、固定対象物とは反対方向の領域に配置されれば、この照射方向制御部のエレクトロクロミック層が鏡面状態の場合、光源からの照明光が照射方向制御部で反射し、固定対象物の方向に反射するので、この照明装置は、固定対象物の反射光による間接照明装置として機能させることができる。
さらに、この発明にかかる照明装置では、照射方向制御部が、光源を囲むように配置されれば、この照射方向制御部のエレクトロクロミック層が鏡面状態の場合、光源からの照明光が一方向のみに照射されるので、この照明装置をスポットライトとして機能させることができる。
また、この発明にかかる照明装置では、照射方向制御部は、光源を囲むように複数のエレクトロクロミック層から形成され、複数のエレクトロクロミック層ごとに透過状態から鏡面状態で反射率を可変制御しうる場合は、エレクトロクロミック層の状態を、透過状態から鏡面状態までの範囲で、それぞれのエレクトロクロミック層ごとに異ならせることができる。
さらに、この発明にかかる照明装置では、エレクトロクロミック層は、金属イオンを含む電解質に対して、作用極および対極を介して電界を印加することで、作用極上に金属イオンを金属として析出させる電解析出型であるので、透過状態における透過率に優れ、鏡面状態における反射率に優れているので、照射方向制御部のエレクトロクロミック層を透過状態から鏡面状態と可変にすることで、透過状態のエレクトロクロミック層を透過しても光源の光度を低下させることなく、照明装置の光源からの照明光の照射範囲を変えることができる。
【発明の効果】
【０００８】
この発明によれば、照明装置に含まれる光源からの照明光の照射方向を任意の方向に制御しうる照明装置が得られる。
また、この発明によれば、照明装置に含まれる光源からの照明光の照射方向を任意の方向に制御しうる照射方向の制御方法が得られる。
【０００９】
この発明の上述の目的、その他の目的、特徴および利点は、図面を参照して行う以下の発明を実施するための形態の説明から一層明らかとなろう。
【図面の簡単な説明】
【００１０】
【図１】この発明にかかる照明装置の第１の実施の形態の一例を示す斜視図解図である。
【図２】図１に示す照明装置の全面透過モードの一例を示す断面図解図である。
【図３】図１に示す照明装置の側面反射モードの一例を示す断面図解図である。
【図４】図１に示す照明装置の底面反射モードの一例を示す断面図解図である。
【図５】この発明にかかる照明装置の変形例１を示す斜視図解図である。
【図６】この発明にかかる照明装置の変形例２を示す斜視図解図である。
【図７】この発明にかかる照明装置の変形例３を示す斜視図解図である。
【図８】この発明にかかる照明装置の変形例４を示す斜視図解図である。
【図９】この発明にかかる照明装置の他の例を示す斜視図解図である。
【図１０】この発明にかかる照明装置のさらに他の例を示す斜視図解図であって、（ａ）は、側面カバー部がガラスにより形成された場合であり、（ｂ）は、底面カバー部が支持部材により支持される場合を示す。
【図１１】この発明にかかる照明装置の第２の実施の形態の一例を直接照明モードとして使用した状態を示す図解図であり、（ａ）は、この状態の照明装置における断面図解図であり、（ｂ）は、この状態の照明装置における底面図を示す図解図である。
【図１２】この発明にかかる照明装置の第２の実施の形態の一例を間接照明モードとして使用した状態を示す図解図であり、（ａ）は、この状態の照明装置における断面図解図であり、（ｂ）は、この状態の照明装置における底面図を示す図解図である。
【発明を実施するための形態】
【００１１】
まず、この発明にかかる照明装置の第１の実施の形態の一例を示す。図１は、この発明にかかる照明装置の第１の実施の形態の一例を示す斜視図解図である。図１に示す照明装置１０は、固定対象物として、たとえば、天井面６０に固定される。
【００１２】
図１に示す照明装置１０は、照射対象物を照射するための光源１２を含む。また、図１に示す照明装置１０は、光源１２を覆うように、照射方向制御部として、カバー部１４を含む。
【００１３】
光源１２は、たとえば、光源１２を保持するための保持部材であるソケット等（図示せず）に保持された電球である。この照明装置１０は、１つの光源１２を備える。光源１２は、カバー部１４の上方において保持される。なお、光源１２の照明光の照射範囲は、光源１２を保持する保持部材を除く全範囲に照射しうる光源であることが好ましい。光源１２は、電球以外にも、蛍光灯あるいはＬＥＤ照明のいずれも使用することができる。また、光源１２の形状は、電球状以外にも、円筒状あるいは環形状のものでもよい。また、光源１２は、複数備えていてもよい。
【００１４】
カバー部１４は、光源１２からの照明光の照射方向を制御するためのものである。また、カバー部１４は、光源１２を保護するためのものである。カバー部１４は、光源１２を覆うように光源１２の周りに形成されており、たとえば、多面体に形成される。カバー部１４は、図１に示す照明装置１０では、たとえば、四角柱に形成されている。カバー部１４は、底面カバー部１６および側面カバー部１８を含む。
【００１５】
底面カバー部１６は、光源１２からの照明光の照射方向のうち、主に天井面６０に対して下方向（天井面６０とは反対の方向）の照明光の照射方向を制御するためのものである。底面カバー部１６は、天井面６０とは反対方向の領域に配置される。底面カバー部１６は、略矩形に形成される。底面カバー部１６は、透過状態から鏡面状態で反射率を可変制御しうるエレクトロクロミック層２０を含む。
【００１６】
側面カバー部１８は、光源１２からの照明光の照射方向のうち、主に光源１２に対して側面方向の照明光の照射方向を制御するためのものである。側面カバー部１８は、天井面６０に対して略垂直面となるように配置される。側面カバー部１８は、略矩形に形成された側面部分１８ａ，１８ｂ，１８ｃ，１８ｄにより構成される。側面カバー部１８の側面部分１８ａ〜１８ｄは、それぞれ、透過状態から鏡面状態で反射率を可変制御しうるエレクトロクロミック層２０を含む。
【００１７】
エレクトロクロミック層２０は、エレクトロクロミック材料による電解質により形成される。エレクトロクロミック材料は、光吸収スペクトル特性または光反射する特性を有する。なお、エレクトロクロミック層２０の厚みは、使用される用途によって任意に決定される。
なお、このエレクトロクロミック層２０の透過状態における透過率は、８５％程度であることが好ましい。
【００１８】
上述のエレクトロクロミック層２０は、透明状態から鏡面状態へ反射率を可変制御可能なエレクトロクロミック特性を示すものであれば限定されないが、透過状態で高い透過率を有し、かつ鏡面状態で高い反射率を有するエレクトロクロミック層としては電解析出型のエレクトロクロミック層を用いることが好ましい。
【００１９】
たとえば、このようなエレクトロクロミック層２０としては、以下のようにして作製されるものが使用可能である。
すなわち、エレクトロクロミック層２０の材料として、ＡｇＮＯ3（硝酸銀）を５０ｍＭ、支持電解質としてＬｉＢｒ（臭化リチウム）を２５０ｍＭ、メディエーターとしてＣｕＣｌ2（塩化銅（ＩＩ））を１０ｍＭの濃度で準備し、それらをＤＭＳＯ（ジメチルスルホキシド）に溶解させることで、エレクトロクロミック溶液が調製される。そして、このエレクトロクロミック溶液にゲル化剤としてポリビニルブチラール（１０ｗｔ％）を加えることでゲル電解質が調製される。この調製されたゲル電解質を、３００μｍスペーサーを介して平滑ＩＴＯ電極（作用極）とＩＴＯ粒子修飾電極（対極）の間に挟み込むことによって２極セルを作製することで、エレクトロクロミック層２０が作製される。
【００２０】
このような電解析出型のエレクトロクロミック層は、金属イオンを含む電解質に対して、作用極および対極を介して電界を印加することで、作用極上に金属イオンを金属として析出させるものである。
また、このエレクトロクロミック層２０では、その作用極および対極間に印加する直流電圧の大きさを変えることによって、透過状態から鏡面状態の範囲で反射率を可変制御しうる。
【００２１】
なお、このエレクトロクロミック層２０は、着色型ではなく反射型であり、対極に対する作用極の電位を任意に変えることによって、反射率を任意に変えることができる。
【００２２】
また、エレクトロクロミック層２０は、基材として、ＰＥＴやＰＥＮなどのフィルムおよびガラスが使用されてもよい。
【００２３】
また、エレクトロクロミック層２０には、制御部（図示せず）が電気的に接続される。この制御部は、底面カバー部１６および側面カバー部１８の４つの側面部分１８ａ〜１８ｄに含まれるそれぞれのエレクトロクロミック層２０を個々に透過状態から鏡面状態の範囲で反射率を可変制御するためのものであり、底面カバー部１６および側面部分１８ａ〜１８ｄのエレクトロクロミック層２０の対極および作用極に電気的に接続される。この制御部によって、底面カバー部１６および側面部分１８ａ〜１８ｄのエレクトロクロミック層２０の対極に対する作用極の電位を個々に制御することができ、底面カバー部１６および側面部分１８ａ〜１８ｄのエレクトロクロミック層２０を個々に透過状態から鏡面状態の範囲で反射率を可変制御しうる。
【００２４】
この照明装置１０では、照射方向制御部としてのカバー部１４によって光源１２の照明光の照射方向を制御することができる。この照射方向の制御方法として、たとえば、以下に示す全面透過モード、側面反射モードおよび底面反射モードの３つのモードに、制御することができる。
【００２５】
［全面透過モード］
この照明装置１０は、通常、部屋等に設置される照明装置として使用する場合において、室内全体への照射を望む場合、光源１２からの照明光Ｌの照射方向を全方向（照明装置１０が固定される固定対象物との固定範囲を除く）への照射を確保するために、底面カバー部１６および側面カバー部１８のエレクトロクロミック層２０に電流を流さず、エレクトロクロミック層２０の透過率を高めた透過状態である全面透過モードで使用する。この全面透過モードでは、図２に示すように、底面カバー部１６および側面カバー部１８のエレクトロクロミック層２０は透過状態となり、光源１２からの照明光（直接光）Ｌにより室内全体を照射することができる。
なお、底面カバー部１６および側面カバー部１８のエレクトロクロミック層２０を透過状態および鏡面状態の中間状態にすることによって、光源１２からの照明光の透過量を低減させることもできる。
【００２６】
［側面反射モード］
この照明装置１０は、特定の照射対象物に対するスポット照射を望む場合、側面カバー部１８のエレクトロクロミック層２０のみに電流を流し、底面カバー部１６のエレクトロクロミック層２０には電流を流さず、透過状態となるようにし、側面カバー部１８のみの反射率を任意に制御した側面反射モードで使用する。この側面反射モードでは、たとえば、図３に示すように、側面カバー部１８が鏡面状態となるので、光源１２からの照明光Ｌは、底面カバー部１６からのみ照射される。このように、光源１２からの照明光Ｌの照射方向は、底面カバー部１６からのみの照射とすることで、側面反射モードにおける照明装置１０は、スポットライトとして機能しうる。
【００２７】
［底面反射モード］
この照明装置１０は、間接照明装置としての使用を望む場合、底面カバー部１６のエレクトロクロミック層２０のみに電流を流し、側面カバー部１８のエレクトロクロミック層２０には電流を流さず、透過状態となるようにし、底面カバー部１６のみの反射率を任意に制御した底面反射モードで使用する。この底面反射モードでは、たとえば、図４に示すように、底面カバー部１６が鏡面状態となり、光源１２からの照明光Ｌは、底面カバー部１６で反射し、天井面６０の方向に照射される。このように、光源１２からの照明光Ｌの照射方向は、底面カバー部１６を鏡面状態とすることで、天井面６０の方向に照射するように制御されることから、底面反射モードにおける照明装置１０は、天井面６０の反射光により室内等を照らすとした間接照明装置として機能させることができる。
【００２８】
なお、たとえば、側面反射モードの場合、底面カバー部１６において、文字、図形、記号、絵、ロゴの少なくともいずれか又はこれらの組合せ（以下、文字等という）を形成し、その文字等に対応する部分は、エレクトロクロミック層２０を形成しないようにし、文字等に対応する部分以外の部分は、エレクトロクロミック層２０を形成しておき、文字等に対応する部分以外の部分を鏡面状態とすると、文字等の部分のみの領域を光源１２からの照明光が透過するので、照明光の投影先であるスクリーン等に文字等を表示させることができる。
【００２９】
図１に示す照明装置１０は、カバー部１４が、底面カバー部１６および側面カバー部１８を含み、底面カバー部１６および側面カバー部１８に含まれるエレクトロクロミック層２０は、底面カバー部１６あるいは側面カバー部１８に対して、透過状態から鏡面状態の範囲で反射率を個々に可変制御することで、照射方向を変更するための施工を別途することなく、照明装置１０の光源１２からの照明光Ｌの照射方向を制御することができる。また、照明装置１０の底面カバー部１６および側面カバー部１８に含まれるエレクトロクロミック層２０は、電解析出型のエレクトロクロミック層であるので、透過状態における透過率が高いことから、光源１２の光度を低下させることなく、照明装置１０の光源１２からの照明光Ｌの照射範囲を変えることができる。
【００３０】
また、この照明装置１０では、底面カバー部１６および側面カバー部１８においてエレクトロクロミック層２０を個々に含む。したがって、底面カバー部１６および側面カバー部１８を全面透過モードとして制御して底面カバー部１６および側面カバー部１８を透過状態とすることで、光源１２の照明光Ｌの照射方向全ての方向に照射することができ、また、側面反射モードとして制御して側面カバー部１８のみを鏡面状態とすることで、光源１２の照明光Ｌの照射方向を底面方向（すなわち、天井面６０とは反対方向）にのみ照射させることができ、照明装置１０をスポットライトとして機能させることができる。さらに、底面反射モードとして制御して底面カバー部１６のみを鏡面状態とすることで、光源１２の照明光Ｌの照射方向を、底面カバー部１６で天井面６０の方向に反射させることができ、天井面６０の反射光による照明装置１０を間接照明装置として機能させることができる。
【００３１】
さらに、この照明装置１０では、エレクトロクロミック層２０は、底面カバー部１６および４つの側面部分１８ａ〜１８ｄに個々に含まれているので、底面カバー部１６および側面カバー部１８において、エレクトロクロミック層２０の状態を、透過状態から鏡面状態までの範囲で、底面カバー部１６および各側面部分１８ａ〜１８ｄのそれぞれの部分を個々に異ならせることができる。
【００３２】
なお、図１に示す照明装置１０では、照明装置１０が、固定対象物として天井面６０に固定されているが、これに限るものではなく、固定対象物としては、たとえば、部屋の側壁でもよいし、卓上照明等のアームの端部でもよい。
【００３３】
また、エレクトロクロミック層２０へ供給される電流は、光源１２への電流の一部から供給するようにしてもよいし、直接、エレクトロクロミック層２０に供給するようにしてもよい。
【００３４】
さらに、図１に示す照明装置１０のカバー部１４は四角柱に形成されているが、以下のような種々の変形例が示される。
図５は、この発明にかかる照明装置の変形例１を示す斜視図解図であり、図６は、この発明にかかる照明装置の変形例２を示す斜視図解図である。図５に示す照明装置１０のカバー部１４は六角柱に形成されており、図６に示す照明装置１０のカバー部１４は球状に形成されている。
【００３５】
図５に示すように、カバー部１４が六角注に形成された場合、底面カバー部１６は、六角形に形成され、エレクトロクロミック層２０を含む。また、側面カバー部１８は、略矩形に形成された側面部分１８ａ，１８ｂ，１８ｃ，１８ｄ，１８ｅ，１８ｆにより構成される。側面カバー部１８の側面部分１８ａ〜１８ｆは、それぞれの側面部分において、エレクトロクロミック層２０を含む。
【００３６】
また、図６に示すように、カバー部１４が球状に形成された場合も同様に、たとえば、球状に形成されたカバー部１４の上半分を６分割され、下半分を６分割に分割されて、この１２個の部分１４ａ，１４ｂ，１４ｃ，１４ｄ，１４ｅ，１４ｆ，１４ｇ，１４ｉ，１４ｊ，１４ｌに分割されて形成される。カバー部１４の部分１４ａ〜１４ｌは、それぞれの部分において、エレクトロクロミック層２０を含む。
【００３７】
したがって、これらのエレクトロクロミック層２０も同様に、制御部（図示せず）が電気的に接続されるので、上述したように、底面カバー部１６および側面部分１８ａ〜１８ｆ、あるいはカバー部１４の部分１４ａ〜１４ｌは、それぞれ個々に透過状態から鏡面状態の範囲で反射率を可変制御しうる。なお、このように、カバー部１４の形状は任意である。
【００３８】
また、図７は、この発明にかかる照明装置の変形例３を示す斜視図解図である。
図７に示すように、照明装置１０の底面カバー部１６は、四角錐で形成されてもよい。このとき、底面カバー部１６は、底面部分１６ａ，１６ｂ，１６ｃ，１６ｄにより構成され、それぞれの底面部分１６ａ〜１６ｄは、エレクトロクロミック層２０を含む。また、図７に示す照明装置１０の側面カバー部１８も、側面部分１８ａ，１８ｂ，１８ｃ，１８ｄにより構成され、それぞれの側面部分１８ａ〜１８ｄは、エレクトロクロミック層２０を含む。これらのエレクトロクロミック層２０も同様に、制御部（図示せず）が電気的に接続されるので、上述したように、それぞれの底面部分１６ａ〜１６ｄおよび側面部分１８ａ〜１８ｄは、それぞれ個々に透過状態から鏡面状態の範囲で反射率を可変制御しうる。なお、このように、底面カバー部１６の形状は任意である。
【００３９】
さらに、図８は、この発明にかかる照明装置の変形例４を示す斜視図解図である。
この図８に示すように、照明装置１０の底面カバー部１６は、対角線により４つの部分１６ａ，１６ｂ，１６ｃ，１６ｄに分割されて構成されてもよい。それぞれの底面部分１６ａ〜１６ｄは、エレクトロクロミック層２０を含む。また、図８に示す照明装置１０の側面カバー部１８も、側面部分１８ａ，１８ｂ，１８ｃ，１８ｄにより構成され、それぞれの側面部分１８ａ〜１８ｄは、エレクトロクロミック層２０を含む。このエレクトロクロミック層２０も同様に、制御部（図示せず）が電気的に接続されるので、上述したように、それぞれの底面部分１６ａ〜１６ｄおよび側面部分１８ａ〜１８ｄは、それぞれ個々に透過状態から鏡面状態の範囲で反射率を可変制御しうる。なお、底面カバー部１６の分割数や分割される部分の形状は任意である。また、側面カバー部１８における所定の一面のみを、複数の部分に分割するようにしてもよい。
【００４０】
また、照明装置１０のカバー部１４を、予め、透明なガラス等で任意の形状に形成しておき、その任意の形状に形成されたガラスの表面にエレクトロクロミック層２０を配置させるようにしてもよい。
【００４１】
次に、この発明にかかる照明装置の他の例について説明する。
図９は、この発明にかかる照明装置の他の例を示す斜視図解図である。図９に示す照明装置１０’は、固定対象物として、たとえば、天井面６０に固定される。
【００４２】
図９に示す照明装置１０’は、照射対象物を照射するための光源１２を含む。また、図９に示す照明装置１０’は、光源１２を囲むように、照射方向制御部として、側面カバー部１８を含む。側面カバー部１８は、たとえば、円筒状に形成される。図９に示す照明装置１０’は、図１に示す照明装置１０と比べて、底面カバー部１６が設けられていない。そのため、側面カバー部１８の下端側には、開口部３０が設けられており、開放状態である。
【００４３】
なお、図９に示す照明装置１０’の開口部３０には、たとえば、光源１２を保護するため、底面カバー部１６として、透明なガラスにより形成されて、設けられてもよい。また、側面カバー部１８は、任意の形状に形成されていてもよく、複数の部分に分割されてもよい。側面カバー部１８が複数の部分に分割された場合は、各部分にエレクトロクロミック層２０を含み、個々に透過状態から鏡面状態の範囲で反射率を可変制御しうるようにしてもよい。
【００４４】
図９に示す照明装置１０’は、側面カバー部１８においてエレクトロクロミック層２０を含む。したがって、側面カバー部１８を全面透過モードとして制御して側面カバー部１８を透過状態とすることで、光源１２の照明光の照射方向全ての方向に照射することができ、また、側面反射モードとして制御して側面カバー部１８を鏡面状態とすることで、光源１２の照明光の照射方向を底面方向（すなわち、天井面６０とは反対方向）にのみ照射させることができ、照明装置１０’をスポットライトとして機能させることができる。すなわち、照明装置１０’は、スポットライトとしての機能に特化した照明装置として提供することができる。
【００４５】
次に、この発明にかかる照明装置のさらに他の例について説明する。
図１０（ａ）および（ｂ）は、この発明にかかる照明装置のさらに他の例を示す斜視図解図である。
【００４６】
図１０（ａ）に示す照明装置１０’’は、照射対象物を照射するための光源１２を含む。また、図１０（ａ）に示す照明装置１０’’は、光源１２を覆うように、カバー部１４を含む。カバー部１４は、底面カバー部１６および側面カバー部１８を含む。図１０（ａ）に示す照明装置１０’’は、図１に示す照明装置１０と比べて、照射方向制御部として、底面カバー部１６のみがエレクトロクロミック層２０を含む。側面カバー部１８は、透明なガラスにより形成されている。また、底面カバー部１６の形状は任意である。
【００４７】
また、図１０（ｂ）に示す照明装置１０’’は、照射対象物を照射するための光源１２を含む。この図１０（ｂ）に示す照明装置１０’’は、図１０（ａ）の照明装置１０’’と異なり、側面カバー部１８を設けない代わりに、たとえば、４本の角柱に形成された支持部材４０により、エレクトロクロミック層２０を含む底面カバー部１６が支持される。また、底面カバー部１６の形状は任意である。
【００４８】
図１０（ａ）および（ｂ）に示す照明装置１０’’は、上述したように、底面カバー部１６においてエレクトロクロミック層２０を含む。したがって、底面カバー部１６を全面透過モードとして制御して底面カバー部１６を透過状態とすることで、光源１２の照明光の照射方向全ての方向に照射することができ、また、底面反射モードとして制御して底面カバー部１６を鏡面状態とすることで、光源１２の照明光の照射方向を、底面カバー部１６で天井面６０の方向に反射させることができ、照明装置１０’’を天井面６０の反射光による間接照明装置として機能させることができる。すなわち、照明装置１０’’は、間接照明装置としての機能に特化した照明装置として提供することができる。
【００４９】
続いて、この発明にかかる照明装置の第２の実施の形態の一例を示す。図１１は、この発明にかかる照明装置の第２の実施の形態の一例を直接照明モードとして使用した状態を示す図解図であり、（ａ）は、この状態の照明装置における断面図解図であり、（ｂ）は、この状態の照明装置における底面図を示す図解図である。また、図１２は、この発明にかかる照明装置の第２の実施の形態の一例を間接照明モードとして使用した状態を示す図解図であり、（ａ）は、この状態の照明装置における断面図解図であり、（ｂ）は、この状態の照明装置における底面図を示す図解図である。図１１および図１２に示す照明装置１１０は、固定対象物として、たとえば、天井面６０に固定される。
【００５０】
図１１および図１２に示す照明装置１１０は、照射対象物を照射するための光源１１２を含む。また、照明装置１１０は、光源１１２の上方に所定の間隔を隔てて、光源１１２からの照明光Ｌを遮断するためのシェード部５０を含む。さらに、照明装置１１０は、光源１１２の下方に所定の間隔を隔てて、光源１１２からの照明光Ｌの照射方向を制御するための照射方向制御部５２を含む。
【００５１】
光源１１２は、たとえば、光源１１２を保持するための保持部材（図示せず）に保持された環形状の蛍光灯である。この照明装置１１０は、１つの光源１１２を備える。光源１１２は、シェード部５０の下方において、後述する開口部１３０付近において保持される。なお、光源１１２の照射範囲は、光源１１２を保持する保持部材を除く全範囲に照射うる光源であることが好ましい。光源１１２は、環形状の蛍光灯以外にも、電球あるいはＬＥＤ照明のいずれも使用することができる。また、光源１１２の形状は、環形状以外にも、電球状あるいは円筒状のものでもよい。また、光源１１２は、複数備えていてもよい。
【００５２】
シェード部５０は、光源１１２からの照明光Ｌを下方（天井面６０とは反対方向）に反射させるために設けられる。シェード部５０は、たとえば、略円錐台形状に形成される。シェード部５０の下端側には、開口部１３０が設けられる。また、シェード部５０の内側には、反射面５０ａが設けられる。
【００５３】
照射方向制御部５２は、たとえば、略円板状に形成される。この照射方向制御部５２の直径は、光源１１２の環形状の蛍光灯の直径よりも大きく形成される。照射方向制御部５２は、透過状態から鏡面状態で反射率を可変制御しうるエレクトロクロミック層２０を含む。照射方向制御部５２は、シェード部５０における開口部１３０より若干下方であって、シェード部５０に対して保持部材（図示せず）により保持されている。そして、照射方向制御部５２は、光源１１２からの照明光Ｌの照射方向の範囲における一部の領域に配置されている。なお、照射方向制御部５２の形状は任意である。
【００５４】
この照明装置１１０では、照射方向制御部５２によって、光源１１２の照明光Ｌの照射方向を制御することができる。この照射方向の制御方法として、たとえば、以下に示す直接照明モードおよび間接照明モードの２つのモードに、制御することができる。
【００５５】
［直接照明モード］
この照明装置１１０は、通常、部屋等に設置される照明装置として使用する場合において、室内全体への照射を望む場合、光源１１２からの照明光Ｌの照射方向を、照明装置１１０から下方に向かって全体的に照射するために、図１１に示すように、照射方向制御部５２のエレクトロクロミック層２０に電流を流さず、エレクトロクロミック層２０の透過率を高めた透過状態である直接照明モードで使用する。この直接照明モードでは、図１１に示すように、照射方向制御部５２は透過状態となり、光源１１２からの照明光Ｌは、室内全体を照射するように制御することで、直接照明モードにおける照明装置１１０は、光源１１２からの照明光（直接光）Ｌによる照明装置として機能させることができる。
【００５６】
［間接照明モード］
この照明装置１１０は、間接照明装置としての使用を望む場合、照射方向制御部５２のエレクトロクロミック層２０に電流を流し、図１２に示すように、照射方向制御部５２を鏡面状態である間接照明モードで使用する。この間接照明モードでは、照射方向制御部５２が鏡面状態となり、光源１１２からの照明光Ｌは、照射方向制御部５２で反射し、シェード部５０の反射面５０ａの方向に照射するように制御されることから、間接照明モードにおける照明装置１１０は、シェード部５０の反射面５０ａの反射光により室内等を照らすとした間接照明装置として機能させることができる。
【００５７】
図１１および図１２に示す照明装置１１０では、照射方向制御部５２が、光源１１２からの照明光Ｌの照射方向の範囲における一部の領域に配置されており、この照射方向制御部５２を透過状態から鏡面状態の範囲で反射率を可変制御することで、光源１１２からの照明光Ｌの照射方向を制御することができるので、改めて施工しなおすことなく、直接照明モードと間接照明モードとの切り替えを行うことができる。また、照明装置１１０の照射方向制御部５２のエレクトロクロミック層２０は、電解析出型のエレクトロクロミック層であるので、透過状態における透過率が高いことから、光源１２の光度を低下させることなく、照明装置１０の光源１２からの照明光Ｌの照射範囲を変えることができる。
【産業上の利用可能性】
【００５８】
この発明にかかる照明装置は、特に、部屋等に設置される照明装置として提供され、照明装置に含まれる光源からの照明光の照射方向を任意に制御しうる照明装置として好適に用いられる。
【符号の説明】
【００５９】
１０，１０’，１０’’，１１０  照明装置
１２，１１２  光源
１４  カバー部
１４ａ〜１４ｌ  カバー部の部分
１６  底面カバー部
１６ａ〜１６ｄ  底面部分
１８  側面カバー部
１８ａ〜１８ｆ  側面部分
２０  エレクトロクロミック層
３０，１３０  開口部
４０  支持部材
５０  シェード部
５０ａ  反射面
５２  照射方向制御部
６０  天井面
Ｌ  照明光
【図１】
2016020940.tif 000003
【図２】
2016020940.tif 000004
【図３】
2016020940.tif 000005
【図４】
2016020940.tif 000006
【図５】
2016020940.tif 000007
【図６】
2016020940.tif 000008
【図７】
2016020940.tif 000009
【図８】
2016020940.tif 000010
【図９】
2016020940.tif 000011
【図１０】
2016020940.tif 000012
【図１１】
2016020940.tif 000013
【図１２】
2016020940.tif 000014